(57)【要約】【課題】大画面のプラズマディスプレイパネルであっても表示電極対のそれぞれに所望の駆動電圧波形を供給する。【解決手段】走査電極および維持電極からなる表示電極対とデータ電極との交差部に放電セルを形成したパネルを有し、維持期間において走査電極および維持電極に維持パルスを印加して画像を表示するプラズマディスプレイ装置であって、走査電極に供給する維持パルスを発生させる維持パルス発生回路４１を搭載した維持パルス発生用回路基板５１と、維持パルスを走査電極のそれぞれに供給するための維持パルス供給用回路基板５２、５３とを備え、維持パルス供給用回路基板５２、５３の維持パルスを供給する配線の電位を、維持期間において維持パルスの高圧側の電圧Ｖｓを超えないようにクランプするクランプ回路４４、４５を設けた。【選択図】図５
2011145427.tif 000002
【特許請求の範囲】
【請求項１】
走査電極および維持電極からなる表示電極対とデータ電極との交差部に放電セルを形成したプラズマディスプレイパネルを有し、維持期間において前記走査電極および前記維持電極に維持パルスを印加して画像を表示するプラズマディスプレイ装置であって、
前記走査電極に供給する維持パルスを発生させる維持パルス発生回路を搭載した維持パルス発生用回路基板と、前記維持パルスを前記走査電極のそれぞれに供給するための維持パルス供給用回路基板とを備え、
前記維持パルス供給用回路基板の前記維持パルスを供給する配線の電位を、前記維持期間において前記維持パルスの高圧側の電圧を超えないようにクランプするクランプ回路を設けたことを特徴とするプラズマディスプレイ装置。
【請求項２】
前記維持パルス供給用回路基板は走査パルスを発生する走査パルス発生回路を搭載したことを特徴とする請求項１に記載のプラズマディスプレイ装置。
【請求項３】
前記維持パルス供給用回路基板の前記維持パルスを供給する配線の電位を、前記維持期間において前記維持パルスの低圧側の電圧未満とならないようにクランプするクランプ回路を設けたことを特徴とする請求項１に記載のプラズマディスプレイ装置。
【発明の詳細な説明】
【技術分野】
【０００１】
本発明は、交流面放電型のプラズマディスプレイパネルを用いたプラズマディスプレイ装置に関する。
【背景技術】
【０００２】
プラズマディスプレイパネル（以下、「パネル」と略記する）として代表的な交流面放電型パネルは、対向配置された前面基板と背面基板との間に多数の放電セルが形成されている。前面基板は、１対の走査電極と維持電極とからなる表示電極対が前面ガラス基板上に互いに平行に複数対形成されている。背面基板は、背面ガラス基板上に複数の平行なデータ電極が形成され、さらに隔壁と蛍光体層が形成されている。そして、表示電極対とデータ電極とが立体交差するように前面基板と背面基板とが対向配置されて密封され、内部の放電空間には放電ガスが封入されている。ここで表示電極対とデータ電極との対向する部分に放電セルが形成される。
【０００３】
プラズマディスプレイ装置は、表示電極対に交互に維持パルスを印加してこれらの放電セルを放電、発光させることにより画像を表示している。
【０００４】
各放電セルで維持放電を安定して発生させるためには、通常百数十ボルトの振幅で立上り時間が１μｓｅｃ以下の急峻な形状を持つ維持パルスを表示電極対に印加する必要がある。そしてこのとき、例えば表示画面サイズが４０インチ相当のパネルであれば数十アンペアを超える大きな電流が瞬間的に流れる。そのため、駆動回路から各電源、各電極のそれぞれにいたる電流経路のインピーダンスを小さくして維持パルスにリンギング等が重畳しないように、また接地のインピーダンスを小さくして誤動作が発生しないように、駆動回路の配置や配線等を工夫することが重要である。たとえば、駆動回路の配置とその配線を工夫して、寄生インダクタンスを低減しパネルの電圧波形のリンギングを低減したプラズマディスプレイ装置が特許文献１に開示されている。
【先行技術文献】
【特許文献】
【０００５】
【特許文献１】特開２００８−４０４０８号公報
【発明の概要】
【発明が解決しようとする課題】
【０００６】
しかしながら、さらにパネルの大画面化が進むにつれて、パネル容量を充放電するための変位電流や放電に伴う放電電流も表示画面サイズの２乗に比例して増大し、電流経路のわずかなインピーダンスも画像表示品質を低下させる要因となってきている。また、パネルの大画面化に伴い、駆動回路からそれぞれの表示電極対までの電流経路のインピーダンスの差も大きくなるが、この電流経路の差に起因する画像表示品質の差も無視できないほど大きくなってきている。
【０００７】
実際、パネルの表示画面サイズが１００インチ程度に大きくなると、パネルの短辺の長さが１ｍ以上、長辺の長さが２ｍ以上となり、その分、電流経路の長さが長くなってインピーダンスが高くなるだけでなく、駆動回路から表示電極対のそれぞれにいたる電流経路の長さが同じにならない。具体的には、パネルの中央部の表示電極対までは比較的短く配線することが可能であるが、パネルの上部および下部の表示電極対までは長くなってしまう。そのため、パネルの上部および下部に位置する表示電極対の駆動電圧波形に大きなリンギングが重畳して、輝度むら、色むら等が発生し、画像表示品質が低下するという課題があった。
【０００８】
本発明は、これらの課題に鑑みなされたものであり、大画面のパネルであっても表示電極対のそれぞれに所望の駆動電圧波形を供給して、品質の良い画像を表示できるプラズマディスプレイ装置を提供することを目的とする。
【課題を解決するための手段】
【０００９】
上記目的を達成するために本発明は、走査電極および維持電極からなる表示電極対とデータ電極との交差部に放電セルを形成したパネルを有し、維持期間において走査電極および維持電極に維持パルスを印加して画像を表示するプラズマディスプレイ装置であって、走査電極に供給する維持パルスを発生させる維持パルス発生回路を搭載した維持パルス発生用回路基板と、維持パルスを走査電極のそれぞれに供給するための維持パルス供給用回路基板とを備え、維持パルス供給用回路基板の維持パルスを供給する配線の電位を、維持期間において維持パルスの高圧側の電圧を超えないようにクランプするクランプ回路を設けたことを特徴とする。この構成により、大画面のパネルであっても表示電極対のそれぞれに所望の駆動電圧波形を供給して、品質の良い画像を表示できるプラズマディスプレイ装置を提供することができる。
【００１０】
また本発明のプラズマディスプレイ装置の維持パルス供給用回路基板は、走査パルスを発生する走査パルス発生回路を搭載していてもよい。
【００１１】
また本発明のプラズマディスプレイ装置は、維持パルス供給用回路基板の維持パルスを供給する配線の電位を、維持期間において維持パルスの低圧側の電圧未満とならないようにクランプするクランプ回路をさらに設けてもよい。
【発明の効果】
【００１２】
本発明によれば、大画面のパネルであっても表示電極対のそれぞれに所望の駆動電圧波形を供給して、品質の良い画像を表示できるプラズマディスプレイ装置を提供することが可能となる。
【図面の簡単な説明】
【００１３】
【図１】本発明の実施の形態１におけるプラズマディスプレイ装置に用いるパネルの分解斜視図である。
【図２】同プラズマディスプレイ装置に用いるパネルの電極配列図である。
【図３】同プラズマディスプレイ装置のパネルの各電極に印加する駆動電圧波形を示す図である。
【図４】同プラズマディスプレイ装置の回路ブロック図である。
【図５】同プラズマディスプレイ装置の複数の回路基板に実装された走査電極駆動回路の回路ブロックを示す図である。
【図６】同プラズマディスプレイ装置の構造を示す分解斜視図である。
【図７】本発明の実施の形態２におけるプラズマディスプレイ装置の回路基板の配置を示す図である。
【図８】本発明の実施の形態３におけるプラズマディスプレイ装置の走査電極駆動回路の回路ブロックを示す図である。
【発明を実施するための形態】
【００１４】
以下、本発明の実施の形態におけるプラズマディスプレイ装置について、図面を用いて説明する。
【００１５】
（実施の形態１）
図１は、本発明の実施の形態１におけるパネル１０の構造を示す分解斜視図である。ガラス製の前面基板１１上には、走査電極１２と維持電極１３とからなる表示電極対１４が複数形成されている。そして走査電極１２と維持電極１３とを覆うように誘電体層１５が形成され、その誘電体層１５上に保護層１６が形成されている。背面基板２１上にはデータ電極２２が複数形成され、データ電極２２を覆うように誘電体層２３が形成され、さらにその上に井桁状の隔壁２４が形成されている。そして、隔壁２４の側面および誘電体層２３上には赤色、緑色および青色の各色に発光する蛍光体層２５が設けられている。
【００１６】
これら前面基板１１と背面基板２１とは、微小な放電空間を挟んで表示電極対１４とデータ電極２２とが交差するように対向配置され、その外周部をガラスフリット等の封着材によって封着されている。そして放電空間には、例えばネオンとキセノンの混合ガスが放電ガスとして封入されている。放電空間は隔壁２４によって複数の区画に仕切られており、表示電極対１４とデータ電極２２とが交差する部分に放電セルが形成されている。そしてこれらの放電セルが放電、発光することにより画像が表示される。
【００１７】
なお、パネル１０の構造は上述したものに限られるわけではなく、例えばストライプ状の隔壁を備えたものであってもよい。
【００１８】
図２は、本発明の実施の形態１におけるプラズマディスプレイ装置のパネル１０の電極配列図である。パネル１０には、行方向に長いｎ本の走査電極ＳＣ１〜ＳＣｎ（図１の走査電極１２）およびｎ本の維持電極ＳＵ１〜ＳＵｎ（図１の維持電極１３）が配列され、列方向に長いｍ本のデータ電極Ｄ１〜Ｄｍ（図１のデータ電極２２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。
【００１９】
次に、パネル１０を駆動する方法について説明する。本実施の形態においては、画像信号に応じた階調を表示する方法としていわゆるサブフィールド法を用いている。サブフィールド法は１フィールド期間を初期化期間、書込み期間、維持期間を有する複数のサブフィールドに分割し、サブフィールド毎に各放電セルの発光・非発光を制御することによって階調表示を行う方法である。
【００２０】
図３は、本発明の実施の形態１におけるプラズマディスプレイ装置のパネル１０の各電極に印加する駆動電圧波形を示す図である。図３には３つのサブフィールドＳＦ１〜ＳＦ３に対する駆動電圧波形を示しているが、他のサブフィールドにおける駆動電圧波形もほぼ同様である。
【００２１】
サブフィールドＳＦ１の初期化期間では、データ電極Ｄ１〜Ｄｍおよび維持電極ＳＵ１〜ＳＵｎに電圧０（Ｖ）を印加するとともに、走査電極ＳＣ１〜ＳＣｎに電圧Ｖｉ１から電圧Ｖｉ２に向かって緩やかに上昇するランプ電圧を印加する。その後、維持電極ＳＵ１〜ＳＵｎに電圧Ｖｅ１を印加するとともに、走査電極ＳＣ１〜ＳＣｎに電圧Ｖｉ３から電圧Ｖｉ４に向かって緩やかに下降するランプ電圧を印加する。すると各放電セルで微弱な初期化放電が発生し、続く書込み動作に必要な壁電荷を各電極上に形成する。
【００２２】
なお、初期化期間の動作としては、サブフィールドＳＦ２、ＳＦ３の初期化期間に示したように、走査電極ＳＣ１〜ＳＣｎに対して緩やかに下降するランプ電圧を印加するだけでもよい。
【００２３】
続く書込み期間では、維持電極ＳＵ１〜ＳＵｎに電圧Ｖｅ２を、走査電極ＳＣ１〜ＳＣｎに電圧Ｖｃを、データ電極Ｄ１〜Ｄｍに電圧０（Ｖ）をそれぞれ印加する。
【００２４】
そして、１行目の走査電極ＳＣ１に電圧Ｖａの走査パルスを印加するとともに、発光すべき放電セルに対応するデータ電極Ｄｋに電圧Ｖｄの書込みパルスを印加する。すると走査パルスと書込みパルスとが同時に印加された１行目の放電セルでは書込み放電が発生し、放電セルの走査電極ＳＣ１上および維持電極ＳＵ１上に壁電荷を蓄積する書込み動作が行われる。
【００２５】
以上の書込み動作をすべての行の放電セルで繰り返し、発光すべき放電セルに対して選択的に書込み放電を発生させ壁電荷を形成する。
【００２６】
続く維持期間では、維持電極ＳＵ１〜ＳＵｎに電圧０（Ｖ）を印加する。そして走査電極ＳＣ１〜ＳＣｎに電圧Ｖｓの維持パルスを印加する。すると、書込み放電を起こした放電セルでは維持放電が起こり発光する。次に、走査電極ＳＣ１〜ＳＣｎに電圧０（Ｖ）を印加するとともに、維持電極ＳＵ１〜ＳＵｎに電圧Ｖｓの維持パルスを印加する。すると維持放電を起こした放電セルでは再び維持放電が起こり発光する。以降、輝度重みに応じた維持パルスを走査電極ＳＣ１〜ＳＣｎと維持電極ＳＵ１〜ＳＵｎとに交互に印加して、放電セルを発光させる。そして、維持期間の最後には電圧Ｖｒに向かって緩やかに上昇するランプ電圧を走査電極ＳＣ１〜ＳＣｎに印加して、データ電極Ｄｋ上の正の壁電圧を残したまま、走査電極ＳＣｉ上および維持電極ＳＵｉ上の壁電圧を弱める。こうして維持期間における維持動作が終了する。
【００２７】
なお、上述した維持放電に伴い、放電を起こした放電セルの数に応じた放電電流が流れる。例えばすべての放電セルで放電が発生したとすると、瞬間的に数十アンペアを超える非常に大きな電流が流れる。さらに表示画面サイズが１００インチ程度になると、数百アンペアに達する非常に大きな電流になる。このような大きな電流を流すためには、各電極の駆動回路から各電源、各電極のそれぞれにいたる電流経路のインピーダンスを小さくする必要がある。特に、表示画面の上部および下部の表示電極対までの電流経路は長くなり、インピーダンスが高くなる傾向がある。
【００２８】
詳細は後述するが、本実施の形態においては、表示画面の上部および下部に位置する走査電極に対する電流経路のインピーダンスを下げてリンギングを抑制するための回路が設けられている。
【００２９】
続くサブフィールドの動作は第１サブフィールドの動作とほぼ同様であるため説明を省略する。
【００３０】
図４は、本発明の実施の形態１におけるプラズマディスプレイ装置３０の回路ブロック図である。プラズマディスプレイ装置３０はパネル１０と駆動回路とを備え、駆動回路は、画像信号処理回路３１、データ電極駆動回路３２、走査電極駆動回路３３、維持電極駆動回路３４、タイミング発生回路３５および各回路ブロックに必要な電源を供給する電源回路３６を備えている。
【００３１】
画像信号処理回路３１は、入力された画像信号をサブフィールド毎の発光・非発光を示す画像データに変換する。データ電極駆動回路３２はサブフィールド毎の画像データを各データ電極Ｄ１〜Ｄｍに印加する書込みパルスに変換する。タイミング発生回路３５は水平同期信号、垂直同期信号をもとにして各回路ブロックの動作を制御する各種のタイミング信号を発生し、それぞれの回路ブロックへ供給する。
【００３２】
走査電極駆動回路３３は、維持期間において維持パルスを発生するための維持パルス発生回路４１、初期化期間において傾斜波形電圧を発生させるための初期化波形発生回路４２、書込み期間において走査パルスを発生させる走査パルス発生回路４３を有し、タイミング信号にもとづいて各走査電極ＳＣ１〜ＳＣｎをそれぞれ駆動する。維持電極駆動回路５４は、維持期間において維持パルスを発生するための維持パルス発生回路を有し、タイミング信号にもとづいて維持電極ＳＵ１〜ＳＵｎを駆動する。そしてこれらの駆動回路は複数枚の回路基板上に実装されている。
【００３３】
これらの駆動回路は回路基板上に実装されるが、通常使用できるプリント基板の大きさは大きくとも一辺が５０ｃｍ程度であるため、データ電極駆動回路３２、走査電極駆動回路３３、維持電極駆動回路３４を、それぞれ複数枚のプリント基板上に実装している。
【００３４】
図５は、本発明の実施の形態１におけるプラズマディスプレイ装置３０の複数の回路基板に実装された走査電極駆動回路３３の回路ブロックを示す図である。走査電極駆動回路３３は、走査電極に供給する維持パルスを発生させる維持パルス発生回路４１と初期化波形発生回路４２とをを搭載した維持パルス発生用回路基板５１（以下、単に「回路基板５１」と略記する）と、走査パルス発生回路４３を搭載するとともに維持パルスを走査電極のそれぞれに供給するための維持パルス供給用回路基板５２（以下、単に「回路基板５２」と略記する）および維持パルス供給用回路基板５３（以下、単に「回路基板５３」と略記する）とを備えている。
【００３５】
回路基板５１には維持パルス発生回路４１と初期化波形発生回路４２とが実装されている。回路基板５２には走査電極ＳＣ１〜ＳＣｎ／２に対応する走査パルス発生回路４３が実装されている。回路基板５３には走査電極ＳＣｎ／２＋１〜ＳＣｎに対応する走査パルス発生回路４３が実装されている。
【００３６】
維持パルス発生回路４１で発生した維持パルスは、回路基板５１の出力端子Ｐ１から回路基板５２の入力端子Ｐ２に伝達され、回路基板５２の維持パルスを供給する配線および回路基板５２に実装されている走査パルス発生回路４３を介して走査電極ＳＣ１〜ＳＣｎ／２のそれぞれに印加される。
【００３７】
ここで入力端子Ｐ２は、回路基板５２の維持パルスを供給する配線の上部であって、パネル１０の中央部に位置する走査電極ＳＣｎ／２の近傍に設けられており、走査電極ＳＣｎ／２およびその近くの走査電極には短い電流経路で維持パルスを印加することができる。そのためリンギングの少ない維持パルスを印加することができる。しかしパネル１０の上部に行くに従い維持パルスを供給する配線の電流経路が長くなり、走査電極ＳＣ１およびその近くの走査電極に印加する維持パルスには無視できない大きさのリンギングが重畳する。
【００３８】
そこでこのリンギングを抑制するために、維持パルス供給用回路基板５２の維持パルスを供給する配線の電位を、維持期間において維持パルスの高圧側の電圧Ｖｓを超えないようにクランプする第１のクランプ回路４４を設けている。すなわち第１のクランプ回路４４は回路基板５４上に設けられ、回路基板５２の維持パルスを供給する配線の上部に位置し入力端子Ｐ２と同じ電位の点Ｐ４に接続されている。
【００３９】
本実施の形態においては、第１のクランプ回路４４はダイオードＤ６２とスイッチング素子Ｑ６２で構成されている。そして維持期間でスイッチング素子Ｑ６２をオンすることにより、走査電極ＳＣ１およびその近くの走査電極に印加する電圧が電圧Ｖｓを超えないようにクランプされるので、パネル１０の上部に位置する走査電極にもリンギングの少ない維持パルスを印加することができる。
【００４０】
同様に維持パルス発生回路４１で発生した維持パルスは、回路基板５１の出力端子Ｐ１から回路基板５３の入力端子Ｐ３に伝達され、回路基板５３に実装されている走査パルス発生回路４３を介して走査電極ＳＣｎ／２＋１〜ＳＣｎのそれぞれに印加される。
【００４１】
ここで入力端子Ｐ３は、パネル１０の中央部に位置する走査電極ＳＣｎ／２＋１の近傍に設けられており、走査電極ＳＣｎ／２＋１およびその近くの走査電極には短い電流経路で維持パルスを印加することができる。そのためリンギングの少ない維持パルスを印加することができる。しかしパネル１０の下部に行くに従い電流経路が長くなり、走査電極ＳＣｎおよびその近くの走査電極に印加する維持パルスには無視できない大きさのリンギングが重畳する。
【００４２】
そこでこのリンギングを抑制するために、維持パルス供給用回路基板５３の維持パルスを供給する配線の電位を、維持期間において維持パルスの高圧側の電圧Ｖｓを超えないようにクランプする第２のクランプ回路４５を設けている。すなわち維持パルスの高圧側の電圧である電圧Ｖｓでクランプするための第２のクランプ回路４５が回路基板５５上に設けられ、回路基板５３の維持パルスを供給する配線の下部に位置し入力端子Ｐ３と同じ電位の点Ｐ５に接続されている。
【００４３】
本実施の形態においては、第２のクランプ回路４５はダイオードＤ６３とスイッチング素子Ｑ６３で構成されている。そして維持期間でスイッチング素子Ｑ６３をオンすることにより、パネル１０の下部に位置する走査電極にもリンギングの少ない維持パルスを印加することができる。
【００４４】
図６は、本発明の実施の形態１におけるプラズマディスプレイ装置３０の構造を示す分解斜視図である。プラズマディスプレイ装置３０は、パネル１０と、パネル１０を保持するシャーシ６１と、パネル１０で発生した熱をシャーシ６１に伝達するとともに、パネル１０とシャーシ６１とを接着するための熱伝導シート６２と、電源回路、走査電極駆動回路、維持電極駆動回路、タイミング発生回路等、パネル１０を駆動するための回路基板群６３と、これらを収納する前面枠６５およびバックカバー６６とを備えている。図６には、回路基板群６３のうち、走査電極駆動回路３３を実装した回路基板５１〜５５に符号をつけて示している。
【００４５】
このように、第１のクランプ回路４４を実装した回路基板５４を、走査パルス発生回路４３を実装した回路基板５２の点Ｐ４の近傍に取り付け、第２のクランプ回路４５を実装した回路基板５５を、走査パルス発生回路４３を実装した回路基板５３の点Ｐ５の近傍に取り付けることにより、パネル１０の上部および下部に位置する走査電極にもリンギングの少ない維持パルスを印加することができる。
【００４６】
なお本実施の形態においては、走査パルス発生回路４３を実装した回路基板５２、５３のそれぞれに対して個別に、クランプ回路を実装した回路基板５４、５５を設けた。しかしクランプ回路４４を回路基板５２に、クランプ回路４５を回路基板５３に実装してもよい。また、回路基板５２、５３のそれぞれに対するクランプ回路を１枚の回路基板に実装してもよい。
【００４７】
また本実施の形態においては、走査電極２２に電圧Ｖｓを超える電圧（例えば電圧Ｖｉ２）が印加されるものとした。しかしながら走査電極２２に電圧Ｖｓを超える電圧が印加されない場合には、クランプ回路４４のスイッチング素子Ｑ６２、およびクランプ回路４５のスイッチング素子Ｑ６３が不要になる。そのため、クランプ時におけるオン抵抗がダイオードＤ６２のオン抵抗またはダイオードＤ６３のオン抵抗のみとなるため、維持パルスのリンギングをさらに抑えることができる。
【００４８】
（実施の形態２）
図７は、本発明の実施の形態２におけるプラズマディスプレイ装置３０の回路基板の配置を示す図であり、バックカバー６６を外した状態で、バックカバー６６側から見た各回路基板の配置を模式的に示す図である。回路基板５６には、ダイオードＤ６２とスイッチング素子Ｑ６２とで構成された第１のクランプ回路４４と、ダイオードＤ６３とスイッチング素子Ｑ６３とで構成された第２のクランプ回路４５との両方のクランプ回路が実装されている。
【００４９】
そして回路基板５２の点Ｐ４とクランプ回路４４とを配線５６ａで接続し、回路基板５３の点Ｐ５とクランプ回路４５とを配線５６ｂで接続している。このように、２つのクランプ回路４４、４５を１枚の回路基板５６に実装した構成であってもパネル１０上部および下部に位置する走査電極に印加する維持パルスのリンギングを抑制することができる。このとき２つのクランプ回路が実装された回路基板５６は、電圧Ｖｓを発生する電源基板５９の近くに配置するとさらに望ましい。
【００５０】
（実施の形態３）
図８は、本発明の実施の形態３におけるプラズマディスプレイ装置３０の走査電極駆動回路３３の回路ブロックを示す図である。
【００５１】
本実施の形態においては、第１のクランプ回路４６は、回路基板５２の維持パルスを供給する配線の電位を維持パルスの高圧側の電圧Ｖｓを超えないようにクランプするためのダイオードＤ６２とスイッチング素子Ｑ６２で構成されたクランプ回路に加えて、維持パルスの低圧側の電圧である電圧０（Ｖ）未満とならないようにクランプするためのダイオードＤ７２とスイッチング素子Ｑ７２で構成されたクランプ回路を備えている。
【００５２】
同様に、第２のクランプ回路４７は、回路基板５３の維持パルスを供給する配線の電位を維持パルスの高圧側の電圧Ｖｓを超えないようにクランプするためのダイオードＤ６３とスイッチング素子Ｑ６３で構成されたクランプ回路に加えて、維持パルスの低圧側の電圧である電圧０（Ｖ）未満とならないようにクランプするためのダイオードＤ７３とスイッチング素子Ｑ７３で構成されたクランプ回路を備えている。
【００５３】
これにより、パネル１０の上部および下部に位置する走査電極に印加する維持パルスの立上りに発生するリンギングに加えて、立下りに発生するリンギングも抑制することができる。
【００５４】
なお、第１のクランプ回路４６を回路基板５２に、第２のクランプ回路４７を回路基板５３に実装してもよい。または、これら第１のクランプ回路４６および第２のクランプ回路４７をそれぞれ別個の回路基板に実装し、第１のクランプ回路４６を実装した回路基板を回路基板５２の点Ｐ４の近傍に取り付け、第２のクランプ回路４７を実装した回路基板５５を回路基板５３の点Ｐ５の近傍に取り付けてもよい。さらに、第１のクランプ回路４６と第２のクランプ回路４７との両方のクランプ回路を１枚の回路基板に実装し、回路基板５２の点Ｐ４とクランプ回路４６とを配線で接続し、回路基板５３の点Ｐ５とクランプ回路４７とを配線で接続してもよい。
【００５５】
なお実施の形態１〜３において、クランプ回路の近くに電圧Ｖｓに対するデカップリングコンデンサを設けることにより、リンギング抑制効果がさらに向上することは言うまでもない。
【００５６】
また、実施の形態１〜３において用いた具体的な各数値は、単に一例を挙げたに過ぎず、パネルの特性やプラズマディスプレイ装置の仕様等に合わせて、適宜最適な値に設定することが望ましい。
【産業上の利用可能性】
【００５７】
本発明は、大画面のパネルであっても表示電極対のそれぞれに所望の駆動電圧波形を供給して、品質の良い画像を表示できるので、プラズマディスプレイ装置をとして有用である。
【符号の説明】
【００５８】
１０    （プラズマディスプレイ）パネル
１１    前面基板
１２    走査電極
１３    維持電極
２１    背面基板
２２    データ電極
３０    プラズマディスプレイ装置
３１    画像信号処理回路
３２    データ電極駆動回路
３３    走査電極駆動回路
３４    維持電極駆動回路
３５    タイミング発生回路
３６    電源回路
４１    維持パルス発生回路
４２    初期化波形発生回路
４３    走査パルス発生回路
４４，４６    第１のクランプ回路
４５，４７    第２のクランプ回路
４１    維持パルス発生回路
４１    維持パルス発生回路
５１    （維持パルス発生用）回路基板
５２，５３    （維持パルス供給用）回路基板
５４，５５，５６    回路基板
【図１】
2011145427.tif 000003
【図２】
2011145427.tif 000004
【図３】
2011145427.tif 000005
【図４】
2011145427.tif 000006
【図５】
2011145427.tif 000007
【図６】
2011145427.tif 000008
【図７】
2011145427.tif 000009
【図８】
2011145427.tif 000010